(57)【要約】【課題】乗員の上体を安定して支持することができる乗物用シートを提供する。【解決手段】シートクッションとシートバックを備えた乗物用シートであって、シートバックのフレームを構成するシートバックフレームＦ２と、シートバックフレームＦ２に架け渡された連結ワイヤ７０と、連結ワイヤ７０を介してシートバックフレームＦ２に連結され、乗員からの荷重を支持する板状の受圧部材４０とを備え、受圧部材４０は、乗員の上体背部に対面する受圧部４１と、受圧部４１の左右両端部から左右方向外側に延出し、前後に弾性変形可能に形成された支持部４２とを有し、支持部４２の先端４２Ａと連結ワイヤ７０は、前から見て、互いに重ならないように配置されている。【選択図】図２
2014213738.tif 000002
【特許請求の範囲】
【請求項１】
シートクッションとシートバックを備えた乗物用シートであって、
前記シートバックのフレームを構成するシートバックフレームと、
前記シートバックフレームに架け渡された連結ワイヤと、
前記連結ワイヤを介して前記シートバックフレームに連結され、乗員からの荷重を支持する板状の受圧部材と、を備え、
前記受圧部材は、乗員の上体背部に対面する受圧部と、前記受圧部の左右両端部から左右方向外側に延出し、前後に弾性変形可能に形成された支持部と、を有し、
前記支持部の先端と前記連結ワイヤは、前から見て、互いに重ならないように配置されたことを特徴とする乗物用シート。
【請求項２】
前記連結ワイヤは、上下に架け渡されていることを特徴とする請求項１に記載の乗物用シート。
【請求項３】
前記連結ワイヤは、左右方向内側に凸となるように屈曲した屈曲部を有し、
前記支持部は、上下方向において前記屈曲部の上端から下端までの範囲に少なくとも一部が位置するように形成されていることを特徴とする請求項２に記載の乗物用シート。
【請求項４】
前記支持部は、上下方向において前記屈曲部の上端から下端までの範囲内に形成されていることを特徴とする請求項３に記載の乗物用シート。
【請求項５】
前記連結ワイヤと前記受圧部材との連結部は、前記受圧部に配置されていることを特徴とする請求項１から請求項４のいずれか１項に記載の乗物用シート。
【請求項６】
前記シートバックフレームは、前記シートバックの左右のフレームを構成する左右のサイドフレームを有し、
前記支持部は、変形したときの先端の移動軌跡が前記サイドフレームの左右方向内側を通るように形成されていることを特徴とする請求項１から請求項５のいずれか１項に記載の乗物用シート。
【発明の詳細な説明】
【技術分野】
【０００１】
本発明は、シートクッションとシートバックを備えた乗物用シートに関する。
【背景技術】
【０００２】
従来より、特許文献１などに開示されているように、シートバックの左右のサイドフレームの間に配置され、シートバックのパッド材を後方から支える板状の受圧部材を備えた乗物用シートが知られている。特許文献１の乗物用シートでは、受圧部材は、左右のサイドフレームの上部側と下部側にそれぞれ架設された連結ワイヤを介してサイドフレームに連結されている。
【先行技術文献】
【特許文献】
【０００３】
【特許文献１】特開２０１０−１７９７５４号公報
【発明の概要】
【発明が解決しようとする課題】
【０００４】
ところで、乗物用シートにおいては、乗員の上体を安定して支持できることが求められる。
【０００５】
そこで、本発明は、乗員の上体を安定して支持することができる乗物用シートを提供することを目的とする。
また、本発明は、シートバック内の部材の干渉を抑制することを目的とする。
【課題を解決するための手段】
【０００６】
前記した目的を達成するための本発明は、シートクッションとシートバックを備えた乗物用シートであって、前記シートバックのフレームを構成するシートバックフレームと、前記シートバックフレームに架け渡された連結ワイヤと、前記連結ワイヤを介して前記シートバックフレームに連結され、乗員からの荷重を支持する板状の受圧部材と、を備え、前記受圧部材は、乗員の上体背部に対面する受圧部と、前記受圧部の左右両端部から左右方向外側に延出し、前後に弾性変形可能に形成された支持部と、を有し、前記支持部の先端と前記連結ワイヤは、前から見て、互いに重ならないように配置されたことを特徴とする。
【０００７】
このような構成によれば、中央の受圧部と左右の支持部とにより乗員の上体を広い範囲で支持することができるので、乗員の上体を安定して支持することができる。また、支持部の先端と連結ワイヤが前から見て互いに重ならないように配置されていることで、支持部の変形などによりその先端が前後に移動した場合であっても、支持部の先端と連結ワイヤとの干渉を抑制することができる。
【０００８】
前記した乗物用シートにおいて、前記連結ワイヤは、上下に架け渡されている構成とすることができる。
【０００９】
これによれば、連結ワイヤが左右に架け渡される構成と比較して、支持部の先端と連結ワイヤが前から見て互いに重ならない配置を簡易な構成で実現することができる。これにより、支持部の先端と連結ワイヤとの干渉を抑制することができる。
【００１０】
前記した乗物用シートにおいて、前記連結ワイヤは、左右方向内側に凸となるように屈曲した屈曲部を有し、前記支持部は、上下方向において前記屈曲部の上端から下端までの範囲に少なくとも一部が位置するように形成されている構成とすることができる。
【００１１】
これによれば、連結ワイヤの支持部と同じ高さ位置にある部分の少なくとも一部が支持部の先端から左右方向内側に逃げるように配置されることになるので、支持部の先端と連結ワイヤとの干渉をより抑制することができる。
【００１２】
前記した乗物用シートにおいて、前記支持部は、上下方向において前記屈曲部の上端から下端までの範囲内に形成されている構成とすることができる。
【００１３】
これによれば、連結ワイヤの支持部と同じ高さ位置にある部分全体が支持部の先端から左右方向内側に逃げるように配置されることになるので、支持部の先端と連結ワイヤとの干渉を一層抑制することができる。
【００１４】
前記した乗物用シートにおいて、前記連結ワイヤと前記受圧部材との連結部は、前記受圧部に配置されている構成とすることができる。
【００１５】
これによれば、支持部の先端から遠い位置に連結部が配置されることになるので、支持部の先端と連結ワイヤとの干渉をより抑制することができる。また、逆に言えば、支持部の近傍に連結部が配置されていないことで、連結ワイヤにより支持部の変形が規制されることを抑制することができる。
【００１６】
前記した乗物用シートにおいて、前記シートバックフレームは、前記シートバックの左右のフレームを構成する左右のサイドフレームを有し、前記支持部は、変形したときの先端の移動軌跡が前記サイドフレームの左右方向内側を通るように形成されている構成とすることができる。
【００１７】
これによれば、支持部の変形によりその先端が前後に移動した場合であっても、支持部の先端とサイドフレームとの干渉を抑制することができる。
【発明の効果】
【００１８】
本発明によれば、受圧部と左右の支持部とにより乗員の上体を広い範囲で支持できるので、乗員の上体を安定して支持することができる。また、支持部の先端と連結ワイヤが前から見て互いに重ならないように配置されているので、支持部の先端と連結ワイヤとの干渉を抑制することができる。
【００１９】
また、本発明によれば、連結ワイヤを上下に架け渡すことで、支持部の先端と連結ワイヤが前から見て互いに重ならない配置を簡易な構成で実現でき、支持部の先端と連結ワイヤとの干渉を抑制することができる。
【００２０】
また、本発明によれば、支持部の少なくとも一部を連結ワイヤの屈曲部と同じ高さ位置に形成することで、支持部の先端と連結ワイヤとの干渉をより抑制することができる。
【００２１】
また、本発明によれば、支持部を連結ワイヤの屈曲部と同じ高さ位置に形成することで、支持部の先端と連結ワイヤとの干渉を一層抑制することができる。
【００２２】
また、本発明によれば、連結ワイヤと受圧部材との連結部を受圧部に配置することで、支持部の先端と連結ワイヤとの干渉をより抑制することができる。また、連結ワイヤにより支持部の変形が規制されることを抑制することができる。
【００２３】
また、本発明によれば、支持部を変形したときの先端の移動軌跡がサイドフレームの左右方向内側を通るように形成することで、支持部の先端とサイドフレームとの干渉を抑制することができる。
【図面の簡単な説明】
【００２４】
【図１】実施形態に係る乗物用シートの一例としての車両用シートの斜視図である。
【図２】車両用シートに内蔵されるシートフレームの斜視図である。
【図３】シートフレームを構成するシートバックフレームの正面図である。
【図４】図３のＸ−Ｘ断面図である。
【図５】変形例に係るシートバックフレームの正面図である。
【発明を実施するための形態】
【００２５】
次に、本発明の一実施形態について、適宜図面を参照しながら詳細に説明する。
図１に示すように、一実施形態に係る乗物用シートは、自動車の運転席や助手席などに使用される車両用シートＳとして構成され、乗員が着座するシートクッションＳ１と、シートバックＳ２と、乗員の頭部を支持するヘッドレストＳ３とを主に備えている。そして、詳細については後述するが、この車両用シートＳは、自車両の後部に他車両が追突したり、後退する自車両の後部が他車両や構造物などに衝突したりして乗員の上体からシートバックＳ２に所定値以上の後退移動荷重が作用したときに乗員の上体をシートバックＳ２に沈み込ませるように構成されている。
【００２６】
シートクッションＳ１およびシートバックＳ２には、図２に示すようなシートフレームＦが内蔵されている。シートフレームＦは、シートクッションＳ１のフレームを構成するシートクッションフレームＦ１と、シートバックＳ２のフレームを構成するシートバックフレームＦ２とから主に構成されている。シートクッションＳ１は、シートクッションフレームＦ１に、ウレタンフォームなどのクッション材からなるシートクッションパッドと、合成皮革や布地などからなる表皮材を被せることで構成され、シートバックＳ２は、シートバックフレームＦ２に、クッション材からなるシートバックパッド５０と、表皮材６０を被せることで構成されている（図１参照）。
【００２７】
シートバックフレームＦ２は、上部フレーム１０と、シートバックの左右のフレームを構成する左右のサイドフレーム２０と、下部フレーム３０とを主に有して構成され、上部フレーム１０、左右のサイドフレーム２０および下部フレーム３０が溶接などによって一体に結合された枠状に形成されている。
【００２８】
上部フレーム１０は、略Ｕ字形状に屈曲するパイプ材で構成されており、左右方向に延びる横パイプ部１１に、ヘッドレストＳ３を取り付けるためのサポートブラケット１２が溶接によって固定されている。また、上部フレーム１０の上下方向に延びる左右の縦パイプ部１３には、金属板からなるクロスメンバー１４が当該左右の縦パイプ部１３に架け渡されるように溶接によって固定されている。
左右のサイドフレーム２０は、金属板をプレス加工するなどして断面視略Ｕ字形状に形成され、左右方向に対向して配置されている。
下部フレーム３０は、金属板から構成されており、左右のサイドフレーム２０の下部の間に渡されるように配置されている。
【００２９】
図３に示すように、シートバックフレームＦ２の内側には、シートバックフレームＦ２に架け渡された連結ワイヤ７０と、シートバックパッド５０などを介して乗員からの荷重を支持する受圧部材４０が配置されている。
【００３０】
連結ワイヤ７０は、受圧部材４０をシートバックフレームＦ２に連結するための部材である。この連結ワイヤ７０は、屈曲により略Ｕ字形状に形成されており、上下方向に延びる左右の縦ワイヤ部７１と、左右の縦ワイヤ部７１の下端同士を連結するように左右方向に延びる横ワイヤ部７２とを有している。また、左右の縦ワイヤ部７１は、それぞれ、左右方向内側、より詳細には、シートバックフレームＦ２の左右方向中央に向けて凸となるように屈曲した屈曲部７３を有している。
【００３１】
本実施形態において、クロスメンバー１４と下部フレーム３０には、それぞれ、その一部を切り起こして曲げることで形成されたワイヤ係合部１５，３１が複数設けられている。連結ワイヤ７０は、下部の横ワイヤ部７２が複数箇所で下部フレーム３０のワイヤ係合部３１に係止され、左右の縦ワイヤ部７１の上端部がそれぞれクロスメンバー１４のワイヤ係合部１５に係止されている。これにより、連結ワイヤ７０は、左右の縦ワイヤ部７１がクロスメンバー１４と下部フレーム３０との間を上下に架け渡されている。なお、連結ワイヤ７０とシートバックフレームＦ２との結合は、溶接などによって行ってもよい。
【００３２】
受圧部材４０は、樹脂などから形成された板状の部材であり、連結ワイヤ７０を介してシートバックフレームＦ２に連結され、左右のサイドフレーム２０に対し後退移動可能に設けられている。この受圧部材４０は、乗員の上体背部に対面する受圧部４１と、受圧部４１の左右両端部から左右方向外側に延出する左右の支持部４２とを主に有している。
【００３３】
受圧部４１には、受圧部材４０を連結ワイヤ７０に留めるための係合爪４３が一体に形成されている。係合爪４３は、受圧部４１の左右で上下方向に並んで３つずつ、合計６つ形成され、それぞれが、図４に示すように、受圧部４１の後面から後方に延出した後、屈曲して受圧部４１の後面に沿うように延び、さらに前方に屈曲する断面視略Ｕ字形状をなしている。各係合爪４３は、連結ワイヤ７０（縦ワイヤ部７１の屈曲部７３）に係合すると、縦ワイヤ部７１を抱持するとともに、受圧部４１の後面との間で縦ワイヤ部７１を挟持する。本実施形態では、係合爪４３が受圧部４１に形成されているので、言い換えると、連結ワイヤ７０と受圧部材４０との連結部が、左右の支持部４２ではなく、受圧部４１に配置されている。
【００３４】
図３および図４に示すように、支持部４２は、シートバックパッド５０の後述する側部５２を介して主に乗員の上体のうち胸の高さに対応する部位の側部の後ろ寄りの部分を支持する。この支持部４２は、受圧部４１と一体に形成され、受圧部４１の左右両端の上部、より具体的には、受圧部４１の乗員の胸部の高さに対応する部分から、左右方向外側の斜め前方に向けて延出している。また、図３に示すように、支持部４２は、上下方向において、連結ワイヤ７０の支持部４２から遠ざかるように屈曲する屈曲部７３の上端７３Ａから下端７３Ｂまでの範囲７３Ｒ内に形成されている。これにより、支持部４２と同じ高さ位置においては、連結ワイヤ７０（縦ワイヤ部７１）が、支持部４２ではなく受圧部４１の後側を通ることになるため、支持部４２の先端４２Ａと連結ワイヤ７０は、前から見て、互いに重ならないように配置されている。
【００３５】
図４に示すように、シートバックフレームＦ２を覆うシートバックパッド５０は、受圧部４１に対面する中央部５１と、中央部５１の左右両側に設けられて中央部５１よりも前に張り出した左右の側部５２とを有している。本実施形態において、支持部４２は、シートバックパッド５０の側部５２に対面して配置されており、乗員がシートバックＳ２にもたれた際の側部５２の弾性変形に追従できるように、受圧部４１との接続部分付近を支点として前後に弾性的に撓み変形可能に形成されている。また、支持部４２は、変形したときの先端４２Ａの移動軌跡４２Ｔがサイドフレーム２０の前側部分の左右方向内側を通るように形成されている。
【００３６】
以上説明した車両用シートＳは、自車両の後部に他車両が追突するなどして乗員の上体からシートバックＳ２に所定値以上の後退移動荷重が作用すると、乗員の上体に押されてシートバックパッド５０の中央付近が大きく変形し、シートバックパッド５０を介して受圧部材４０に大きな後退移動荷重が作用する。そうすると、主に連結ワイヤ７０の縦ワイヤ部７１が撓むなどして変形することで、受圧部材４０が左右のサイドフレーム２０に対して後退移動し、これに伴い、乗員の上体がシートバックＳ２に深く沈み込むこととなる。その結果、乗員の頭部がヘッドレストＳ３に速やかに近づいてヘッドレストＳ３に支持されるため、車両の後面衝突による衝撃から乗員の頭部や頸部を保護することができるようになっている。
【００３７】
次に、以上のように構成された車両用シートＳの効果について説明する。
車両用シートＳでは、図３に示したように、受圧部材４０が受圧部４１と左右の支持部４２とを有しているので、中央の受圧部４１と左右の支持部４２とにより乗員の上体を広い範囲で支持することができ、これにより、乗員の上体を安定して支持することができる。また、支持部４２の先端４２Ａと連結ワイヤ７０が前から見て互いに重ならないように配置されているので、図４に示すように、支持部４２の変形によりその先端４２Ａが前後に移動した場合であっても、支持部４２の先端４２Ａと連結ワイヤ７０との干渉を抑制することができる。
【００３８】
特に本実施形態では、図３に示したように、連結ワイヤ７０が上下に架け渡されているので、従来技術のような連結ワイヤが左右に架け渡される構成と比較して、支持部４２の先端４２Ａと連結ワイヤ７０が前から見て互いに重ならない配置を、簡易な構成で実現することができる。
【００３９】
また、本実施形態では、支持部４２が上下方向において屈曲部７３の上端７３Ａから下端７３Ｂまでの範囲７３Ｒ内に形成されていることで、連結ワイヤ７０の支持部４２と同じ高さ位置にある部分全体が先端４２Ａから左右方向内側に逃げるように配置されることになるため、先端４２Ａと連結ワイヤ７０との干渉をより抑制することができる。
【００４０】
また、本実施形態では、連結ワイヤ７０と受圧部材４０との連結部（係合爪４３）が受圧部４１に配置されていることで、先端４２Ａから遠い位置に係合爪４３に係止される連結ワイヤ７０が配置されることになるため、これによっても、先端４２Ａと連結ワイヤ７０との干渉をより抑制することができる。また、逆に言えば、支持部４２の近傍に連結ワイヤ７０が配置されていないことで、連結ワイヤ７０により支持部４２の変形が規制されることを抑制することができる。
【００４１】
さらに、本実施形態では、支持部４２が変形したときの先端４２Ａの移動軌跡４２Ｔがサイドフレーム２０の左右方向内側を通るので、先端４２Ａが前後に移動した場合であっても、先端４２Ａとサイドフレーム２０との干渉を抑制することができる。
【００４２】
以上、本発明の実施形態について説明したが、本発明は前記実施形態に限定されるものではない。具体的な構成については、下記のように本発明の趣旨を逸脱しない範囲で適宜変更が可能である。
【００４３】
前記実施形態では、図３に示したように、支持部４２は、上下方向において連結ワイヤ７０の屈曲部７３の上端７３Ａから下端７３Ｂまでの範囲７３Ｒにその全体が位置するように形成されていたが、本発明はこれに限定されるものではない。例えば、図５に示すように、支持部４２は、上下方向において屈曲部７３の上端７３Ａから下端７３Ｂまでの範囲７３Ｒにその一部が位置するように形成されていてもよい。これによっても、連結ワイヤ７０の支持部４２と同じ高さ位置にある部分の一部が先端４２Ａから左右方向内側に逃げるように配置されることになるので、先端４２Ａと連結ワイヤ７０との干渉を抑制することができる。
【００４４】
前記実施形態では、図３に示したように、連結ワイヤ７０と受圧部材４０との連結部（係合爪４３）が受圧部４１に配置されていたが、本発明はこれに限定されず、例えば、係合爪は、支持部に配置されていてもよい。なお、連結ワイヤと受圧部材との連結は、係合爪による連結に限定されず、例えば、受圧部材に形成した上下や左右などに並ぶ一対の貫通孔の間に結束バンドで連結ワイヤを連結するような構成などであってもよい。
【００４５】
前記実施形態では、連結ワイヤ７０（縦ワイヤ部７１）がクロスメンバー１４と下部フレーム３０との間を上下に架け渡されていたが、本発明はこれに限定されるものではない。例えば、図３を参考にして説明すると、連結ワイヤは、左右のサイドフレーム２０の間を左右に架け渡されていてもよい。また、連結ワイヤは、一方のサイドフレーム２０と、クロスメンバー１４または下部フレーム３０との間を斜めに架け渡されていてもよい。
【００４６】
前記実施形態では、支持部４２が乗員の胸部の高さに対応する位置のみに形成されていたが、本発明はこれに限定されず、例えば、支持部は、乗員の腰部の高さに対応する位置のみに形成されていてもよいし、乗員の胸部の高さに対応する位置および腰部の高さに対応する位置の両方に形成されていてもよい。なお、支持部を乗員の胸部の高さに対応する位置と腰部の高さに対応する位置の両方に形成する場合、乗員の胸部の高さに対応する支持部と、腰部の高さに対応する支持部とは、独立して形成されていてもよいし、互いに連結した状態で形成されていてもよい。
【００４７】
前記実施形態では、図４に示したように、支持部４２は、変形したときの先端４２Ａの移動軌跡４２Ｔがサイドフレーム２０の左右方向内側を通るように形成され、これにより、先端４２Ａとサイドフレーム２０との干渉が抑制されていたが、本発明はこれに限定されるものではない。例えば、支持部は、所定量変形したときに先端がサイドフレームに当接するように形成されていてもよい。これによれば、支持部の過剰な変形を抑制することができる。
【００４８】
前記実施形態では、乗物用シートとして、自動車で使用される車両用シートＳを例示したが、本発明はこれに限定されず、その他の乗物用シート、例えば、鉄道車両や船舶、航空機などで使用されるシートであってもよい。
【符号の説明】
【００４９】
２０    サイドフレーム
４０    受圧部材
４１    受圧部
４２    支持部
４２Ａ  先端
４３    係合爪
７０    連結ワイヤ
７３    屈曲部
Ｆ２    シートバックフレーム
Ｓ      車両用シート
Ｓ１    シートクッション
Ｓ２    シートバック
【図１】
2014213738.tif 000003
【図２】
2014213738.tif 000004
【図３】
2014213738.tif 000005
【図４】
2014213738.tif 000006
【図５】
2014213738.tif 000007